(57)【要約】【課題】ノズルに容器を取り付けて使用する噴霧装置、及び噴霧カートリッジにおいて、ノズル内の空気抜きを確実に行えるようにする。【解決手段】噴霧カートリッジ（30）では、液タンク（31）が挿入されるタンクホルダ（50）に突起部（57）が形成される。また、タンクホルダ（50）には、ノズル電極（61）の端部が保持される。タンクホルダ（50）内に液タンク（31）を挿入してノズル電極（61）に液タンク（31）が取り付けられる際には、液タンク（31）の可撓壁部（40）が突起部（57）によって押圧される。その結果、可撓壁部（40）が液タンク（31）の内側に変形して液タンク（31）の容積が縮小され、液タンク（31）内の液体がノズル電極（61）の先端まで圧送される。【選択図】図５
2008132455.tif 000002
【特許請求の範囲】
【請求項１】
液体を貯留する密閉状の容器（31）と、該容器（31）が取り付けられることで該容器（31）の内部と連通するノズル（61）と、容器（31）内の液体を該ノズル（61）から噴射させるための噴霧手段（19,61）とを備えた噴霧装置であって、
上記ノズル（61）に上記容器（31）が取り付けられる際に、該容器（31）内の容積を縮小させる容積変更手段（57）を備えていることを特徴とする噴霧装置。
【請求項２】
請求項１において、
上記容器（31）には、可撓性を有する可撓壁部（40）が形成され、
上記容積変更手段（57）は、上記ノズル（61）に上記容器（31）が取り付けられる際に、上記可撓壁部（40）を内側に変形させるように構成されていることを特徴とする噴霧装置。
【請求項３】
請求項２において、
上記容積変更手段（57）は、上記ノズル（61）と上記容器（31）とが取り付けられる際に、該ノズル（61）と容器（31）とが連通する前から上記可撓壁部（40）を内側に変形させるように構成されていることを特徴とする噴霧装置。
【請求項４】
請求項２又は３において、
上記容器（31）が挿入可能な筒状に形成され、該容器（31）の挿入方向に相対するようにノズル（61）の端部を保持する保持部材（50）を備え、
上記容積変更手段は、上記ノズル（61）に上記容器（31）が取り付けられる際に、容器（31）の可撓壁部（40）を押圧するように上記保持部材（50）に形成される突起部（57）で構成されていることを特徴とする噴霧装置。
【請求項５】
請求項４において、
上記可撓壁部（40）は、上記容器（31）における保持部材（50）への挿入方向に沿った側面に形成され、
上記突起部（57）は、上記保持部材（50）の周壁側から径方向内側に突出するように形成されていることを特徴とする噴霧装置。
【請求項６】
請求項５において、
上記容器（31）の側面には、挿入される側の端部と上記可撓壁部（40）との間に上記突起部（57）が係合する係合溝（38）が形成されていることを特徴とする噴霧装置。
【請求項７】
請求項５又は６において、
上記容器（31）の側面には、挿入される側の端部とは反対側の端部と、上記可撓壁部（40）との間に上記突起部（57）が係合する係合溝（39）が形成されていることを特徴とする噴霧装置。
【請求項８】
請求項１乃至３のいずれか１つにおいて、
上記容積変更手段（57）によって容器（31）内の容積が縮小された後に、上記容器（31）内の気相空間を容器（31）の外部と連通させる均圧管（62）を備えていることを特徴とする噴霧装置。
【請求項９】
請求項８において、
上記容器（31）が挿入可能な筒状に形成され、該容器（31）の挿入方向に相対するように上記ノズル（61）の端部及び上記均圧管（62）の端部を保持する保持部材（50）を備え、
上記均圧管（62）の端部は、容器（31）の挿入方向に対して、上記ノズル（61）の端部よりも先に位置して、容器（31）を貫通するように構成されていることを特徴とする噴霧装置。
【請求項１０】
請求項９において、
上記容積変更手段は、上記ノズル（61）に上記容器（31）が取り付けられる際に、容器（31）の可撓壁部（40）を押圧するように、上記保持部材（50）の周壁側から径方向内側に突出する突起部（57）で構成され、
上記可撓壁部（40）は、上記容器（31）における保持部材（50）への挿入方向に沿った側面に形成され、
上記均圧管（62）は、保持部材（50）内に挿入される容器（31）の可撓壁部（40）を突起部（57）が通過すると同時に、容器（31）を貫通するように構成されていることを特徴とする噴霧装置。
【請求項１１】
請求項１乃至１０のいずれか１つにおいて、
上記噴霧手段は、液体をノズル（61）の先端から噴射させるための電界を該ノズル（61）の先端近傍で生起する一対の電極（19,61）で構成されていることを特徴とする噴霧装置。
【請求項１２】
液体を貯留する密閉状の容器（31）と、該容器（31）が取り付けられることで該容器（31）の内部と連通するノズル（61）とを備え、容器（31）内の液体をノズル（61）から噴射させるための噴霧手段（19,61）を有する噴霧装置（10）に搭載される噴霧カートリッジであって、
上記ノズル（61）に上記容器（31）が取り付けられる際に、該容器（31）内の容積を縮小させる容積変更手段（57）を備えていることを特徴とする噴霧カートリッジ。
【発明の詳細な説明】
【技術分野】
【０００１】
本発明は、ノズルに容器が取り付けられて、容器内の液体がノズルから噴射される噴霧装置、及びこれらのノズルと容器とを備えた噴霧カートリッジに関するものであり、特に容器が取り付けられたノズル内の空気抜き対策に係るものである。
【背景技術】
【０００２】
従来より、容器内の液体をノズルから噴射する噴霧装置は、広い分野に適用されている。この種の噴霧装置としては、電気流体力学（ＥＨＤ：Electro Hydrodynamics）により液体を霧化して噴霧する静電噴霧装置が知られている。この静電噴霧装置は、例えばノズルの先端近傍に電界を形成し、その電界の不平等性を用いてノズルの先端の液体を霧化して噴射するものである。
【０００３】
例えば、特許文献１には、この種の静電噴霧装置が開示されている。この静電噴霧装置は、人体に有用な水溶液等の液体が貯留される容器と、この容器と繋がるノズルとを有する噴霧カートリッジと、電源とを備えている。噴霧カートリッジのノズルは、第１の電極を構成している。また、ノズルの周囲には、第２の電極としてのリング電極が設けられている。この噴霧装置では、上記電源からノズル及びリング電極に電位差が付与される。その結果、ノズルの先端近傍に電界が形成され、このノズルの先端から液体が霧化されて放出される。室内等に放出された液体は、在室者の体内に空気と共に吸い込まれ、在室者に対してリラックス作用をもたらす。
【特許文献１】特開２００６−２０５１５７号公報
【発明の開示】
【発明が解決しようとする課題】
【０００４】
ところで、上述したような噴霧装置においては、液体を貯留する密閉状の容器に、ノズルを取り付けることで容器を開封させる構造が考えられる。つまり、この構造では、ノズルに容器を取り付けて容器の内部とノズル内とが連通することで、容器内の液体がノズルから噴射できる状態となる。ところが、このような構造では、容器にノズルを取り付ける際に、ノズル内に空気が溜まった状態となる。その結果、この噴霧装置では、容器内の液体をノズルの先端まで充分搬送することができず、ノズルから液体を確実に噴射できなくなることがある。
【０００５】
特に、上述した静電噴霧装置は、ノズルの先端に溜まった液体を分極化させ、この液体を電界の不平等性を利用して噴射させるものである。このため、この静電噴霧装置では、ノズル内の先端が液体で満たされない限り、所望の噴霧動作を行うことができない。従って、この種の静電噴霧装置においては、ノズルの先端まで液体を通すようにする、いわゆる空気抜きが必須となる。
【０００６】
本発明は、かかる点に鑑みてなされたものであり、その目的は、ノズルに容器を取り付けて使用する噴霧装置、及び噴霧カートリッジにおいて、ノズル内の空気抜きを確実に行えるようにすることである。
【課題を解決するための手段】
【０００７】
第１の発明は、液体を貯留する密閉状の容器（31）と、該容器（31）が取り付けられることで該容器（31）の内部と連通するノズル（61）と、容器（31）内の液体を該ノズル（61）から噴射させるための噴霧手段（19,61）とを備えた噴霧装置を前提としている。そして、この噴霧装置は、上記ノズル（61）に上記容器（31）が取り付けられる際に、該容器（31）内の容積を縮小させる容積変更手段（57）を備えていることを特徴とするものである。
【０００８】
第１の発明では、ノズル（61）に対して容器（31）が着脱自在に構成される。つまり、この噴霧装置では、ノズル（61）に容器（31）が取り付けられることで、容器（31）の内部とノズル（61）の内部とが互いに連通し、容器（31）内に貯留された液体が、ノズル（61）から噴射できる状態となる。ここで、本発明では、ノズル（61）が容器（31）に取り付けられる際に、容積変更手段（57）が容器（31）内の容積を縮小させる。その結果、容器（31）内では、貯留された液体がノズル（61）内に押し出され、この液体がノズル（61）の先端まで搬送される。つまり、本発明では、ノズル（61）と容器（31）との取付動作に連動して、液体がノズル（61）の先端まで圧送される。その結果、本発明では、ノズル（61）と容器（31）とを取り付けた後に、ノズル（61）内の空気抜きが確実に完了するので、その後の噴霧手段（19,61）による噴霧動作で、液体をノズル（61）から確実に噴射させることができる。
【０００９】
第２の発明は、第１の発明の噴霧装置において、上記容器（31）には、可撓性を有する可撓壁部（40）が形成され、上記容積変更手段（57）は、上記ノズル（61）に上記容器（31）が取り付けられる際に、上記可撓壁部（40）を内側に変形させるように構成されていることを特徴とするものである。
【００１０】
第２の発明の容積変更手段（57）は、ノズル（61）が容器（31）に取り付けられる際に、容器（31）に形成された可撓壁部（40）を内側に変形させる。その結果、可撓壁部（40）が内側に変形した分だけ容器（31）の容積が縮小するので、貯留された液体がノズル（61）内に押し出されてノズル（61）の先端まで圧送される。
【００１１】
第３の発明は、第２の発明の噴霧装置において、上記容積変更手段（57）は、上記ノズル（61）と上記容器（31）とが取り付けられる際に、該ノズル（61）と容器（31）とが連通する前から上記可撓壁部（40）を内側に変形させるように構成されていることを特徴とするものである。
【００１２】
第３の発明の容積変更手段（57）は、ノズル（61）と容器（31）とが連通する前から、容器（31）の可撓壁部（40）を内側に変形させる。その結果、ノズル（61）と容器（31）とが連通する直前では、容器（31）の内圧が上昇した状態となる。本発明では、この状態からノズル（61）と容器（31）とが連通することで、容器（31）内の液体が速やかにノズル（61）内に圧送され、ノズル（61）の空気抜きが速やかに完了する。
【００１３】
第４の発明は、第２又は第３の発明の噴霧装置において、上記容器（31）が挿入可能な筒状に形成され、該容器（31）の挿入方向に相対するようにノズル（61）の端部を保持する保持部材（50）を備え、上記容積変更手段は、上記ノズル（61）に上記容器（31）が取り付けられる際に、容器（31）の可撓壁部（40）を押圧するように上記保持部材（50）に形成される突起部（57）で構成されていることを特徴とするものである。
【００１４】
第４の発明では、容器（31）が挿入可能な筒状の保持部材（50）が設けられる。この保持部材（50）には、ノズル（61）の端部が保持されると共に、容器（31）の可撓壁部（40）を押圧する突起部（57）が形成される。容器（31）を保持部材（50）内に挿入すると、その内部の容器（31）にノズル（61）が取り付けられる。この際、容器（31）の可撓壁部（40）が突起部（57）によって押圧されることで、この可撓壁部（40）が内側に変形する。その結果、容器（31）の容積が縮小され、液体がノズル（61）の先端まで圧送される。
【００１５】
第５の発明は、第４の発明の噴霧装置において、上記可撓壁部（40）が、上記容器（31）における保持部材（50）への挿入方向に沿った側面に形成され、上記突起部（57）は、上記保持部材（50）の周壁側から径方向内側に突出するように形成されていることを特徴とするものである。
【００１６】
第５の発明では、容器（31）を保持部材（50）内に挿入する際に、保持部材（50）の周壁側の突起部（57）が、容器（31）の側面側の可撓壁部（40）を押圧する。その結果、容器（31）の容積が縮小され、液体がノズル（61）の先端まで圧送される。
【００１７】
第６の発明は、第５の発明の噴霧装置において、上記容器（31）の側面には、挿入される側の端部と可撓壁部（40）との間に、上記突起部（57）が係合する係合溝（38）が形成されていることを特徴とするものである。
【００１８】
第６の発明では、容器（31）の側面に突起部（57）が係合可能な係合溝（38）が形成される。この係合溝（38）は、可撓壁部（40）と比べると、容器（31）の挿入される側の端部の近くに位置している。このため、容器（31）が保持部材（50）内に挿入されると、突起部（57）は、可撓壁部（40）を押圧するよりも前に係合溝（38）に係合する。つまり、本発明では、容器（31）とノズル（61）とが取り付けられて可撓壁部（40）が突起部（57）に押圧される前に、突起部（57）が係合溝（38）に係合し、容器（31）が保持部材（50）内に保持された状態となる。
【００１９】
第７の発明は、第５又は第６の発明の噴霧装置において、上記容器（31）の側面には、挿入される側の端部とは反対側の端部と上記可撓壁部（40）との間に、上記突起部（57）が係合する係合溝（39）が形成されていることを特徴とするものである。
【００２０】
第７の発明の係合溝（39）は、第５の発明と異なり、可撓壁部（40）と比べると、容器（31）の挿入される側の端部の遠くに位置している。このため、容器（31）が保持部材（50）内に挿入されると、突起部（57）が可撓壁部（40）を押圧した後に係合溝（39）に係合する。つまり、本発明では、容器（31）とノズル（61）とが取り付けられて可撓壁部（40）が突起部（57）に押圧された後に、突起部（57）が係合溝（39）に係合し、容器（31）が保持部材（50）内に保持された状態となる。
【００２１】
第８の発明は、第１乃至第３のいずれか１つの発明において、上記容積変更手段（57）によって容器（31）内の容積が縮小された後に、上記容器（31）内の気相空間を容器（31）の外部と連通させる均圧管（62）を備えているを特徴とするものである。
【００２２】
第８の発明では、容器（31）内の気相空間と容器（31）の外部とを連通するための均圧管（62）が設けられる。この均圧管（62）は、ノズル（61）に容器（31）が取り付けられて容積変更手段（57）が容器（31）内の容積を縮小させた後に、容器（31）の外部と気相空間とを連通させる。このため、本発明では、容積変更手段（57）が容器（31）内の容積を縮小する際、気相空間の空気が均圧管（62）を介して容器（31）の外部へ流出してしまうことがなく、液体を確実にノズル（61）内に圧送することができる。また、その後の噴霧動作において、容器（31）内の液体がノズル（61）から適宜噴射され、容器（31）内の液体の量が減少しても、この均圧管（62）によって容器（31）内が負圧状態となることが回避される。
【００２３】
第９の発明は、第８の発明の噴霧装置において、上記容器（31）が挿入可能な筒状に形成され、該容器（31）の挿入方向に相対するように上記ノズル（61）の端部及び上記均圧管（62）の端部を内部に保持する保持部材（50）を備え、上記均圧管（62）の端部は、容器（31）の挿入方向に対して、上記ノズル（61）の端部よりも先に位置して、容器（31）を貫通するように構成されていることを特徴とするものである。
【００２４】
第９の発明では、容器（31）が挿入可能な筒状の保持部材（50）が設けられる。この保持部材（50）には、その内部にノズル（61）の端部、及び均圧管（62）の端部が保持される。ここで、本発明では、均圧管（62）の端部が、挿入される容器（31）に対して、ノズル（61）の端部よりも遠くに位置している。このため、容器（31）が保持部材（50）内に挿入されると、まず、ノズル（61）の端部が容器（31）に取り付けられる。この際、容積変更手段（57）が、容器（31）の可撓壁部（40）を内側に変形させることで、液体がノズル（61）の先端まで圧送される。更に、容器（31）が保持部材（50）の奥側まで挿入されると、均圧管（62）の端部が容器（31）を貫通する。その結果、均圧管（62）を介して容器（31）の外部と内部の気相空間とが連通する。
【００２５】
第１０の発明は、第９の発明の噴霧装置において、上記容積変更手段が、上記ノズル（61）に上記容器（31）が取り付けられる際に、容器（31）の可撓壁部（40）を押圧するように、上記保持部材（50）の周壁側から径方向内側に突出する突起部（57）で構成され、上記可撓壁部（40）は、上記容器（31）における保持部材（50）への挿入方向に沿った側面に形成され、上記均圧管（62）は、保持部材（50）内に挿入される容器（31）の可撓壁部（40）を突起部（57）が通過すると同時に、容器（31）を貫通するように構成されていることを特徴とするものである。
【００２６】
第１０の発明では、容器（31）の側面に可撓壁部（40）が形成される一方、保持部材（50）の周壁側に突起部（57）が設けられる。容器（31）を保持部材（50）に挿入して、突起部（57）が可撓壁部（40）上に位置すると、この可撓壁部（40）が押圧されて内側に変形する。その結果、容器（31）内の容積が縮小し、液体がノズル（61）の先端まで圧送される。このような状態から、更に保持部材（50）内で容器（31）を奥側まで挿入すると、突起部（57）が可撓壁部（40）を乗り越えるようにして通過する。この際には、可撓壁部（40）が元の状態に戻るため、容器（31）内の容積が拡大する。このように容器（31）内の容積が拡大すると、ノズル（61）の先端まで圧送された液体が、再び容器（31）内に吸引され、ノズル（61）内に空気が入ってしまう虞がある。
【００２７】
そこで、本発明では、突起部（57）が可撓壁部（40）を通過すると同時に、均圧管（62）が容器（31）を貫通するようにしている。その結果、本発明では、上述のようにして容器（31）の容積が拡大しても、均圧管（62）を介して空気が容器（31）内の気相空間に吸引されるだけで済む。従って、ノズル（61）の先端まで圧送された液体が、再び容器（31）内に吸引されてしまうことを回避できる。
【００２８】
第１１の発明は、第１乃至第１０のいずれか１つの発明の噴霧装置において、上記噴霧手段は、液体をノズル（61）の先端から噴射させるための電界を該ノズル（61）の先端近傍で生起する一対の電極（19,61）で構成されていることを特徴とするものである。
【００２９】
第１１の発明では、ノズル（61）から液体を噴射させるための噴霧手段として、電界を生起する一対の電極（19,61）が用いられる。つまり、この噴霧装置では、一対の電極（19,61）によってノズル（61）の先端近傍で電界が生起される。その結果、ノズル（61）の先端に溜まった液体が分極化され、この液体が電界の不平等性によって噴射される。以上のように、本発明の噴霧装置は、いわゆる静電噴霧装置で構成される。
【００３０】
ここで、本発明では、ノズル（61）に容器（31）を取り付ける際に、容積変更手段（57）が容器（31）内の容積を縮小するので、容器（31）内の液体がノズル（61）の先端まで圧送される。このため、本発明では、ノズル（61）と容器（31）とを取り付けた後に、ノズル（61）の先端に液体を位置させることができるので、その後の噴霧動作において、電界の不平等性を利用して液体を確実に噴射することができる。
【００３１】
第１２の発明は、液体を貯留する密閉状の容器（31）と、該容器（31）が取り付けられることで該容器（31）の内部と連通するノズル（61）とを備え、容器（31）内の液体をノズル（61）から噴射させるための噴霧手段（19,61）を有する噴霧装置（10）に搭載される噴霧カートリッジを前提としている。そして、この噴霧カートリッジは、上記ノズル（61）に上記容器（31）が取り付けられる際に、該容器（31）内の容積を縮小させる容積変更手段（57）を備えていることを特徴とするものである。
【００３２】
第１２の発明では、容器（31）とノズル（61）とが組み合わされてカートリッジ式となって、噴霧装置に搭載される。ここで、この噴霧カートリッジでは、ノズル（61）に容器（31）を取り付ける際に、容積変更手段（57）が容器（31）内の容積を縮小させるので、容器（31）内の液体がノズル（61）の先端まで圧送される。このため、この噴霧カートリッジにおいても、ノズル（61）と容器（31）とを取り付けた後に、ノズル（61）内の空気抜きが確実に完了する。
【発明の効果】
【００３３】
本発明によれば、ノズル（61）と容器（31）との取付動作に連動して、容積変更手段（57）が容器（31）内の容積を縮小させるようにしている。このため、本発明によれば、ノズル（61）に容器（31）を取り付ける際に、ノズル（61）内の空気抜きを確実に行うことができる。従って、仮に噴霧手段（19,61）が容器（31）内の液体をノズル（61）内まで搬送する力を充分有してない場合にも、その後の噴霧動作において、ノズル（61）から液体を確実に噴射させることができる。
【００３４】
また、上記第２の発明では、容器（31）に可撓壁部（40）を形成し、容積変更手段（57）がこの可撓壁部（40）を内側に変形させることで、容器（31）内の容積を縮小させるようにしている。このため、本発明によれば、比較的単純な構成によって第１の発明を実現することができる。
【００３５】
特に、上記第３の発明では、容器（31）とノズル（61）とが連通する前から、容積変更手段（57）が容器（31）を内側に変更させるようにしている。このため、本発明によれば、容器（31）とノズル（61）とが連通する直前において、容器（31）内を昇圧させることができ、その後に容器（31）とノズル（61）とが連通する際に、比較的高い圧力で速やかに液体をノズル（61）の先端まで圧送することができる。
【００３６】
第４の発明では、保持部材（50）内に容器（31）を挿入する際に、保持部材（50）に設けた突起部（57）によって可撓壁部（40）を押圧して容器（31）内の容積を縮小するようにしている。このため、本発明によれば、突起部（57）と容器（31）との相対位置に応じて可撓壁部（40）の変形量を調節することができ、ノズル（61）内に一定量の液体を圧送することができる。従って、容器（31）内からノズル（61）に圧送される液体量が過剰となり、ノズル（61）の先端から液体が漏れてしまったり、容器（31）内からノズル（61）に圧送される液体量が不足し、ノズル（61）内に空気が残存してしまったりすることを防止することができる。
【００３７】
第５の発明では、保持部材（50）の周壁側に突起部（57）を設け、この突起部（57）によって容器（31）の側面に形成された可撓壁部（40）を押圧するようにしている。このため、本発明では、保持部材（50）に挿入される容器（31）の可撓壁部（40）を突起部（57）で確実に変形させることができ、ノズル（61）の先端まで液体を圧送することができる。
【００３８】
特に、第６の発明では、容器（31）の側面において、可撓壁部（40）よりも容器（31）の端部寄りに係合溝（38）を形成している。このため、本発明によれば、保持部材（50）の突起部（57）を係合溝（38）に係合させることで、ノズル（61）に容器（31）が取り付けられる前の状態において、容器（31）を保持部材（50）に保持させて、容器（31）と保持部材（50）との位置決めを行うことができる。
【００３９】
更に、第７の発明では、容器（31）の側面において、可撓壁部（40）よりも容器（31）の端部から離れた位置に係合溝（39）を形成している。このため、本発明によれば、保持部材（50）の突起部（57）を係合溝（39）に係合させることで、ノズル（61）が容器（31）に取り付けられた後の状態において、容器（31）を保持部材（50）に保持させて、容器（31）と保持部材（50）との位置決めを行うことができる。
【００４０】
第８の発明では、均圧管（62）を介して容器（31）内の気相空間と外部とを連通させるようにしている。このため、本発明によれば、その後の噴霧動作において、容器（31）内の液体が消費されることに起因して、容器（31）内が負圧状態となることを回避でき、ノズル（61）から確実に液体を噴射することができる。また、第８の発明によれば、容積変更手段（57）で容器（31）の容積を縮小してから容器（31）を均圧するようにしているので、容器（31）内の液体を確実にノズル（61）内に圧送することができ、ノズル（61）の空気抜きを確実に行うことができる。
【００４１】
第９の発明では、均圧管（62）の端部を、容器（31）の挿入方向に対してノズル（61）の端部よりも先に位置させているので、保持部材（50）に容器（31）を挿入する際、ノズル（61）に容器（31）が取り付けられる前に、容器（31）に均圧管（62）が貫通してしまうことを確実に防止できる。このため、本発明によれば、容積変更手段（57）による容器（31）内の容積の縮小に伴い押し出された液体が、均圧管（62）に流入してしまうことを確実に防止できる。
【００４２】
第１０の発明では、突起部（57）が可撓壁部（40）を通過すると同時に、均圧管（62）を介して容器（31）内の気相空間と外部とを連通させるようにしている。このため、本発明によれば、突起部（57）が可撓壁部（40）を通過することで、可撓壁部（40）が元に戻って容器（31）内の容積が拡大しても、増加した容積分の空気を均圧管（62）を通じて容器（31）内に流入させることができる。従って、容器（31）内の容積の拡大に起因してノズル（61）内の液体が容器（31）内に戻ってしまうことを回避でき、その後の噴霧動作を確実に行うことができる。
【００４３】
第１１の発明では、いわゆる静電噴霧装置において、ノズル（61）と容器（31）との取付動作に連動して、ノズル（61）の先端まで液体を圧送できるようにしている。このため、本発明によれば、ノズル（61）の先端の液体を電界の不平等性を利用して確実に噴霧することができるので、この噴霧装置において所望の噴霧性能を得ることができる。
【００４４】
第１２の発明では、ノズル（61）と容器（31）とを組み合わせて噴霧カートリッジとしたので、噴霧装置（10）から噴霧カートリッジを取り外して液体を補充したり、この噴霧カートリッジを交換したりできる。ここで、本発明では、ノズル（61）と容器（31）との取付動作に連動してノズル（61）内の空気抜きを確実に行えるようにしたので、その後に噴霧カートリッジを噴霧装置（10）に搭載して使用する際に、ノズル（61）から液体を確実に噴射させることができる。
【発明を実施するための最良の形態】
【００４５】
以下、本発明の実施形態を図面に基づいて詳細に説明する。
【００４６】
本発明に係る実施形態の噴霧装置は、電界の不平等性を利用して液体を噴霧する、いわゆる静電噴霧装置（10）を構成している。この静電噴霧装置（10）は、図１〜図３に示すように、噴霧装置本体（11）に噴霧カートリッジ（30）が搭載されることで構成されている。
【００４７】
〈噴霧装置本体の構造〉
噴霧装置本体（11）は、オフィスの机等に設置されるケーシング（12）を備えている。ケーシング（12）には、その下側の略半分の部位にベース部（13）が形成されている。このベース部（13）の前面には、静電噴霧装置（10）の噴霧動作のＯＮ／ＯＦＦを切り換えるためのスイッチ（15）が設けられている。また、ベース部（13）の後面には、静電噴霧装置（10）に電力を供給するためのケーブルが接続される、ケーブルコネクタ（16）が設けられている。
【００４８】
また、ケーシング（12）には、その上側の略半分の部位にヘッド部（14）が形成されている。上記ヘッド部（14）は、中空状に形成されており、その前側に円形状の前側開口部（17）が形成されている。また、ヘッド部（14）の後側には、上記噴霧カートリッジ（30）を噴霧装置本体（11）に装着するための、カートリッジホルダ（18）が設けられている。カートリッジホルダ（18）は、略円筒状に形成されており、ヘッド部（14）を貫通するようにしてケーシング（12）に固定されている。また、カートリッジホルダ（18）には、その上端部と下端部とに、半円形のガイド溝（18a,18b）が形成されている。以上のような構成のカートリッジホルダ（18）には、詳細は後述する噴霧カートリッジ（30）が抜き差し可能となっている。
【００４９】
また、ヘッド部（14）の内部には、環状のリング電極（19）が保持されている。このリング電極（19）は、ヘッド部（14）の前側開口部（17）の近傍に配置されている。リング電極（19）は、後述の噴霧カートリッジ（30）側に設けられるノズル電極（61）と対となる電極を構成している。つまり、この静電噴霧装置（10）では、詳細は後述するノズル電極（61）と、上記リング電極（19）とが、液体を噴射させるための電界をノズル電極（61）の先端近傍で生起する噴霧手段を構成している。
【００５０】
〈噴霧カートリッジの構造〉
図４に示すように、噴霧カートリッジ（30）は、液タンク（31）とタンクホルダ（50）とを備えている。
【００５１】
上記液タンク（31）は、その内部に液体を貯留する密閉状で、可撓性を有する樹脂製の容器で構成されている。液タンク（31）の内部には、その上側に空気が残存している。つまり、液タンク（31）には、その上側に空気から成る気相空間が形成されている一方、その下側には液体が満たされている。なお、液タンク（31）に貯留される液体としては、人体に有益な物質の水溶液、例えばアミノ酸の一種であるテアニンの水溶液等が挙げられる。この液タンク（31）は、細長の中空形状をしており、その前側寄りに位置する略筒状のメインタンク部（32）と、その後側寄りに位置する扁平な箱状の板状タンク部（33）とが一体となって形成されている。
【００５２】
上記メインタンク部（32）には、その前端部に略円筒状の筒部（34）が形成されている。この筒部（34）の前面には、該筒部（34）よりも小径の小径筒部（35）が前方に突出するように設けられている。また、筒部（34）には、その上端と下端とに、略半円筒状の膨出部（36,37）が形成されている。具体的には、筒部（34）の上端には、第１タンク側膨出部（36）が上方に突出するように形成される一方、筒部（34）の下端には、第２タンク側膨出部（37）が下方に突出するように形成されている。第１タンク側膨出部（36）は、液タンク（31）内に貯留される液体の液面よりも高い位置に形成されている。つまり、第１タンク側膨出部（36）の内部には、上述した気相空間が形成されている。また、第１タンク側膨出部（36）の前面には、後述する均圧管（62）の端部が貫通する均圧管貫通予定部（36a）が形成されている。一方、第２タンク側膨出部（37）は、液タンク（31）内に貯留される液体の液面よりも低い位置に形成されている。つまり、第２タンク側膨出部（37）の内部には、液体が満たされている。また、第２タンク側膨出部（37）の前面には、上記ノズル電極（61）の端部が貫通して取り付けられるノズル貫通予定部（37a）が形成されている。
【００５３】
上記板状タンク部（33）には、その幅方向の両側面に、２つの係合溝（38,39）がそれぞれ形成されている。具体的には、板状タンク部（33）には、液タンク（31）の前端に近い位置に前側係合溝（38）がそれぞれ形成される一方、液タンク（31）の前端から前側係合溝（38）よりも遠い位置に後側係合溝（39）がそれぞれ形成されている。各係合溝（38,39）には、タンクホルダ（50）側に形成される突起部（57,57）が係合するように構成されている。各係合溝（38,39）は、この突起部（57,57）が係合することで、液タンク（31）とタンクホルダ（50）とを所定の相対位置で互いに保持する位置決め部を構成している。
【００５４】
また、板状タンク部（33）の幅方向の両側面には、上記各前側係合溝（38）と各後側係合溝（39）との間に、突起状の可撓壁部（40）が設けられている。この可撓壁部（40）は、前側係合溝（38）と後側係合溝（39）の間の部分を外側に膨出させるようにして形成されている。この可撓壁部（40）は、可撓性を有する樹脂材料で構成されている。また、可撓壁部（40）は、タンクホルダ（50）側の突起部（57,57）に押圧されることで、内側に変形可能に構成されている。
【００５５】
上記タンクホルダ（50）は、本発明の保持部材を構成し、略筒状の周壁部（51）と、該周壁部（51）の前端側を閉塞するような閉塞部（52）とを有している。タンクホルダ（50）の内部には、上記液タンク（31）が挿入可能な空間（S）が形成されている。即ち、タンクホルダ（50）は、その軸方向断面において、後側が開放する凹状に形成されており、その内部に液タンク（31）が内嵌可能な空間（S）が形成されている。
【００５６】
タンクホルダ（50）の閉塞部（52）には、液タンク（31）の小径筒部（35）が係合する、円形開口（53）が形成されており、この円形開口（53）が上記空間（S）と繋がっている。また、この閉塞部（52）には、上述したノズル電極（61）と均圧管（62）とが貫通して保持されている。
【００５７】
上記ノズル電極（61）は、閉塞部（52）の下端部を貫通しており、その後端部がタンクホルダ（50）内の空間（Ｓ）に位置するように保持されている。このノズル電極（61）の後端部は、上記液タンク（31）がタンクホルダ（50）内に挿入される際に、上記ノズル貫通予定部（37a）を貫通するように、該貫通予定部（37a）に対面して配置されている。そして、ノズル電極（61）は、ノズル貫通予定部（37a）を貫通して液タンク（31）に取り付けられることで、液タンク（31）の内部と連通するように構成されている。
【００５８】
上記均圧管（62）は、閉塞部（52）の上端部を貫通しており、その後端部がタンクホルダ（50）内に位置するように保持されている。この均圧管（62）は、液タンク（31）がタンクホルダ（50）内に挿入される際に、その後端部が上記均圧管貫通予定部（36a）を貫通すように配置されている。この均圧管（62）は、液タンク（31）の気相空間を該液タンク（31）の外部と連通させるための均圧手段を構成している。
【００５９】
また、上記閉塞部（52）の内壁から均圧管（62）の後端部までの距離は、閉塞部（52）の内壁からノズル電極（61）の後端部までの距離よりも長くなっている。つまり、均圧管（62）の端部は、タンクホルダ（50）内の液タンク（31）の挿入方向に対して、ノズル電極（61）の端部よりも先に位置している。
【００６０】
タンクホルダ（50）の周壁部（51）には、その上端と下端とに、略半円筒状の膨出部（54,55）が形成されている。具体的には、周壁部（51）の上端には、第１ホルダ側膨出部（54）が上方に突出するように形成される一方、周壁部（51）の下端には、第２ホルダ側膨出部（55）が下方に突出するように形成されている。第１ホルダ側膨出部（54）の内側には、上記液タンク（31）の第１タンク側膨出部（36）が摺動自在となっており、第２ホルダ側膨出部（55）の内側には、上記液タンク（31）の第２タンク側膨出部（37）が摺動自在となっている。つまり、各ホルダ側膨出部（54,55）は、各タンク側膨出部（36,37）に沿うように形成されており、液タンク（31）をタンクホルダ（50）内に案内するためのガイド部材を構成している。また、各ホルダ側膨出部（54,55）は、その外側が上述したカートリッジホルダ（18）のガイド溝（18a,18a）に沿うように形成されている（図２参照）。つまり、タンクホルダ（50）は、各ホルダ側膨出部（54,55）が、各ガイド溝（18a,18a）に案内されながら、カートリッジホルダ（18）内に挿入される。更に、各ホルダ側膨出部（54,55）の外側の後端部には、周方向外側に突出するストッパ部（56,56）がそれぞれ設けられている。このストッパ部（56,56）は、カートリッジホルダ（18）内に形成されるストッパ溝（図示省略）に係止するように構成されている。つまり、タンクホルダ（50）は、このストッパ溝にストッパ部（56,56）が係止することで、カートリッジホルダ（18）内に保持される。
【００６１】
また、図４及び図５に示すように、タンクホルダ（50）には、一対の突起部（57,57）が設けられている。各突起部（57,57）は、一対の棒状のアーム部（58,58）を介して、タンクホルダ（50）の周壁部（51）の両側端にそれぞれ支持されている。各アーム部（58,58）は、周壁部（51）の外側に位置しており、その後端部が、周壁部（51）の後端から飛び出すように軸方向に延在している。そして、各アーム部（58,58）の後端部には、周壁部（51）の径方向内側に突出するようにして上記突起部（57,57）がそれぞれ形成されている。各突起部（57,57）は、液タンク（31）がタンクホルダ（50）内に挿入される際に、液タンク（31）の可撓壁部（40,40）を押圧して内側に変形させるように構成されている。つまり、各突起部（57,57）は、液タンク（31）がタンクホルダ（50）内に挿入されてノズル電極（61）が液タンク（31）に取り付けられる際に、可撓壁部（40,40）を内側に変形させて液タンク（31）の容積を縮小させる本発明の容積変更手段を構成している。
【００６２】
−噴霧動作−
次に、実施形態の静電噴霧装置（10）における定常時の噴霧動作について説明する。この静電噴霧装置（10）では、いわゆるコーンジェットモードのＥＨＤ噴霧が行われる。
【００６３】
静電噴霧装置（10）で噴霧動作を行う際には、図２に示すように、噴霧カートリッジ（30）を噴霧装置本体（11）のカートリッジホルダ（18）に挿入する。なお、この噴霧カートリッジ（30）では、ノズル電極（61）に液タンク（31）と取り付けられてノズル電極（61）内と液タンク（31）内とが連通した状態となっている。噴霧カートリッジ（30）を噴霧装置（10）に搭載すると、図１に示すように、ノズル電極（61）がリング電極（19）の軸心とほぼ一致する状態となる。
【００６４】
この状態から、噴霧装置本体（11）のスイッチ（15）をＯＮにすると、ノズル電極（61
）とリング電極（19）との間に電位差が付与される。その結果、ノズル電極（61）の先端近傍に電界が形成される。また、ノズル電極（61）の先端の液体が分極化され、ノズル電極（61）の先端の気液界面近傍にプラスの電荷が集まる。そして、ノズル電極（61）の先端では、気液界面が引き延ばされて円錐状となり、円錐状となった気液界面の頂部から一部の液体が引きちぎられるようにして液滴化する。
【００６５】
以上のようにして、ノズル電極（61）の先端から微細な液滴が噴射されると、この液滴が室内の空気中に供給される。在室者は、呼吸する際に空気中の液滴を空気と共に吸い込む。在室者に吸い込まれた液滴は、肺胞の粘膜に付着し、在室者の体内に取り込まれる。
【００６６】
−噴霧カートリッジの取付動作−
上述のような噴霧動作では、液タンク（31）内の液体がノズル電極（61）の先端まで満たされていることを要する。なぜなら、上述のＥＨＤ噴霧は、ノズル電極（61）の先端の液体を分極化させ、電界の不平等性を利用して液体を噴霧させるものだからである。ところが、上記噴霧カートリッジ（30）は、密閉状の液タンク（31）をタンクホルダ（50）に挿入することで、ノズル電極（61）に液タンク（31）を取り付けるように構成されている。従って、このようにしてノズル電極（61）に液タンク（31）を取り付けただけでは、ノズル電極（61）内に空気が残存してしまい、ノズル電極（61）の先端まで液体が満たされない。その結果、その後に噴霧カートリッジ（30）を静電噴霧装置（10）に搭載しても、上述したような所望の噴霧動作を行うことができないという不具合が生じる。
【００６７】
そこで、本実施形態では、噴霧カートリッジ（30）におけるノズル電極（61）と液タンク（31）との取付動作に連動して、ノズル電極（61）の先端まで液体を通す、いわゆる空気抜きを行うようにしている。以下には、このような噴霧カートリッジ（30）の取付動作について図５(Ａ)〜(Ｄ)を参照しながら説明する。なお、図５においては、便宜上、ノズル電極（61）及び均圧管（62）の位置を、図４に示した実際の位置よりも、タンクホルダ（50）の軸方向に９０度ずらして図示している。また、図５においては、図４に示した小径筒部（35）や円形開口（53）の図示を省略している。
【００６８】
噴霧カートリッジ（30）は、図５(Ａ)に示すような状態で出荷される。図５(Ａ)の状態では、液タンク（31）の前端部が、タンクホルダ（50）内に挿入され、このタンクホルダ（50）の突起部（57）が、前側係合溝（38）に係合した状態となっている。つまり、液タンク（31）は、ノズル電極（61）が取り付けられる前の状態、即ち密閉状態で、タンクホルダ（50）内に保持されている。
【００６９】
図５(Ａ)の状態の液タンク（31）をタンクホルダ（50）の奥側に更に挿入して図５(Ｂ)の状態とすると、突起部（57）は、液タンク（31）の可撓壁部（40）に乗り上げる状態となる。この状態では、可撓壁部（40）は、突起部（57）に押圧されて液タンク（31）の内側に変形する。その結果、液タンク（31）内の容積が縮小される。ここで、図５(Ｂ)の状態では、未だノズル電極（61）の端部と液タンク（31）との間に所定の間隔が確保されており、ノズル電極（61）と液タンク（31）とは連通していない。つまり、図５(Ｂ)の状態において、突起部（57）は、ノズル電極（61）と液タンク（31）とが連通する前から、可撓壁部（40）を内側に変形させている。以上のようにして、液タンク（31）内の容積が縮小されると、液タンク（31）内の圧力が昇圧される。なお、突起部（57）による可撓壁部（40）の押圧に伴う液タンク（31）内の容積変動は、１．５μＬ（マイクロリッター）〜１５μＬの範囲が好ましい。また、突起部（57）による可撓壁部（40）の押圧に伴う液タンク（31）内の圧力変動は、５０Ｐａ〜１０ｋＰａの範囲となるのが好ましい。
【００７０】
図５(Ｂ)の状態の液タンク（31）をタンクホルダ（50）の奥側に更に挿入して図５(Ｃ)の状態とすると、ノズル電極（61）が液タンク（31）のノズル貫通予定部（37a）を貫通する。その結果、ノズル電極（61）が液タンク（31）に取り付けられた状態となり、ノズル電極（61）と液タンク（31）とが連通する。ここで、均圧管（62）の端部は、挿入される液タンク（31）に対して、ノズル電極（61）の端部よりも遠くに位置しているので、図５(Ｃ)の状態で均圧管（62）と液タンク（31）とが連通することはない。また、図５(Ｃ)の状態では、未だ突起部（57）が可撓壁部（40）上に位置しており、液タンク（31）内は昇圧されている。このため、ノズル電極（61）と液タンク（31）とが連通すると、液タンク（31）内の液体がノズル電極（61）内に圧送される。ここで、突起部（57）による可撓壁部（40）の押圧によって縮小される液タンク（31）の容量は、ノズル電極（61）の管内の容積と同じになるように設定されている。このため、ノズル電極（61）には、丁度、その先端まで液体が圧送されることになり、例えばノズル電極（61）に圧送される液体が過剰となり、ノズル電極（61）の先端から液体が漏れてしまったり、ノズル電極（61）に圧送される液体が不足して、ノズル電極（61）の先端側に空気が残存してしまったりすることが回避される。なお、ノズル電極（61）内に流入する液量は、１．５μＬ〜１５μＬの範囲であることが好ましい。また、突起部（57）の押圧に伴う可撓壁部（40）の変形例は、ノズル電極（61）と液タンク（31）とが連通する位置において最大となるように設定するのが好ましい。
【００７１】
図５(Ｃ)の状態の液タンク（31）をタンクホルダ（50）の奥側に更に挿入して図５(Ｄ)の状態とすると、突起部（57）が可撓壁部（40）を通過して乗り越える。同時に、均圧管（62）が液タンク（31）の均圧管貫通予定部（36a）を貫通し、液タンク（31）の気相空間と均圧管（62）とが連通する。つまり、均圧管（62）は、突起部（57）によって液タンク（31）の容積が縮小された後に、液タンク（31）を貫通する。このため、液タンク（31）内で押し出された液体が、均圧管（62）内に流入してしまうことが確実に回避される。
【００７２】
また、図５(Ｄ)の状態では、突起部（57）による可撓壁部（40）の押圧が解除されるので、液タンク（31）内の容積が拡大して元の容積（例えば図５(Ａ）の状態の容積）となる。一方、この際には、液タンク（31）内の気相空間と、液タンク（31）の外部とが均圧管（62）を介して連通する状態となる。このため、液タンク（31）の容積が拡大しても、液タンク（31）の外部の空気が均圧管（62）を通じて液タンク（31）内の気相空間に吸入され、液タンク（31）が均圧された状態となる。従って、液タンク（31）内の容積の拡大に起因して、ノズル電極（61）内に満たされた液体が再び液タンク（31）内に返流してしまうことが回避される。また、突起部（57）が可撓壁部（40）を乗り越えると、この突起部（57）は後側係合溝（39）に係合する。このため、液タンク（31）は、ノズル電極（61）が取り付けられた後の状態で、タンクホルダ（50）内に保持されることになる。
【００７３】
以上のような図５(Ａ)〜図５(Ｄ)の操作によって、この噴霧カートリッジ（30）では、ノズル電極（61）に液タンク（31）が取り付けられると共に、液タンク（31）内の液体がノズル電極（61）の先端まで満たされることになる。このため、図５(Ｄ)の状態の噴霧カートリッジ（30）を静電噴霧装置（10）に搭載して上述した噴霧動作を行う際には、ノズル電極（61）の先端から確実に液体が噴射される。また、液タンク（31）は、均圧管（62）によって常に均圧された状態となるので、その後の噴霧動作において、液タンク（31）内の液体の消費に起因して液タンク（31）内が負圧状態となることはない。このため、液タンク（31）内に貯留された液体のヘッド差を利用して、液タンク（31）内の液体をノズル電極（61）内に次々と送り込むことができ、ノズル電極（61）から継続して液体を噴射することができる。
【００７４】
−実施形態の効果−
上記実施形態では、タンクホルダ（50）に液タンク（31）を挿入して、ノズル電極（61）に液タンク（31）を取り付ける際、突起部（57）で液タンク（31）の可撓壁部（40）を押圧し、液タンク（31）の容積を縮小させるようにしている。このため、上記実施形態によれば、ノズル電極（61）と液タンク（31）との取付動作に連動して、ノズル電極（61）の先端まで液体を圧送することができ、ノズル電極（61）の空気抜きを確実に行うことができる。従って、この静電噴霧装置（10）に噴霧カートリッジ（30）を搭載して使用する際、ノズル電極（61）から液体を確実に噴射でき、所望の噴霧動作を行うことができる。
【００７５】
上記実施形態では、例えば図５(Ｂ)に示すように、ノズル電極（61）と液タンク（31）とが連通する前から、液タンク（31）内の容積を縮小させて液タンク（31）内を昇圧するようにしている。このため、その後にノズル電極（61）と液タンク（31）とが連通する際に、速やかに液体をノズル電極（61）の先端まで圧送することができる。
【００７６】
上記実施形態では、図５(Ａ)に示すように、突起部（57）を前側係合溝（38）に係合させることで、ノズル電極（61）が取り付けられる前の液タンク（31）をタンクホルダ（50）に保持させて位置決めを行うことができる。従って、このような状態で噴霧カートリッジ（30）を出荷することで、噴霧カートリッジ（30）の取り扱いが簡便となる。
【００７７】
上記実施形態では、図５(Ｄ)に示すように、突起部（57）を後側係合溝（39）に係合させることで、ノズル電極（61）が取り付けられた後の液タンク（31）をタンクホルダ（50）に保持させて位置決めを行うことができる。従って、このような状態で静電噴霧装置（10）に搭載される噴霧カートリッジ（30）の取り扱いも簡便となる。また、タンクホルダ（50）内で液タンク（31）の位置がずれてしまうことに起因して、液タンク（31）からノズル電極（61）や均圧管（62）が外れてしまうことも防止できる。
【００７８】
上記実施形態では、突起部（57）によって液タンク（31）の容積が縮小された後に、均圧管（62）を液タンク（31）に貫通させるようにしている。このため、上記実施形態によれば、液タンク（31）の容積の縮小に伴い押し出される液体が、均圧管（62）に流入してしまうのを確実に回避することができる一方、この液体を確実にノズル電極（61）内に圧送することができる。
【００７９】
上記実施形態では、突起部（57）が可撓壁部（40）を乗り越えると同時に、均圧管（62）と液タンク（31）の気相空間とを連通させるようにしている。このため、可撓壁部（40）による突起部（57）の押圧が解除されることに起因して、ノズル電極（61）内の液体が液タンク（31）に戻ってしまうことを回避でき、ノズル電極（61）の先端まで確実に液体を満たすことができる。
【００８０】
<実施形態の変形例>
上記実施形態の噴霧カートリッジ（30）を以下のような各変形例の構成としても良い。
【００８１】
−変形例１−
図６に示すように、変形例１の噴霧カートリッジ（30）の液タンク（31）では、タンクホルダ（50）に挿入される側の前面に可撓壁部（40）が形成されている。この可撓壁部（40）は、液タンク（31）の前面に形成される均圧管貫通予定部（36a）とノズル貫通予定部（37a）との間に設けられている。一方、タンクホルダ（50）では、筒状の閉塞部（51）の一端を塞ぐ閉塞部（52）の内壁に突起部（57）が設けられている。つまり、変形例１の突起部（57）は、液タンク（31）の挿入方向に相対するようにタンクホルダ（50）に設けられている。また、閉塞部（52）の内壁から突起部（57）の先端までの距離は、閉塞部（52）の内壁からノズル電極（61）の端部までの距離よりも長くなっている。つまり、この突起部（57）の先端は、挿入される液タンク（31）に対してノズル電極（61）の端部よりも近くに位置している。
【００８２】
この変形例１においても、上記実施形態と同様にして、タンクホルダ（50）内に液タンク（31）が挿入される。具体的には、図６(Ａ)の状態から液タンク（31）をタンクホルダ（50）内に挿入して図６(Ｂ)の状態とすると、ノズル電極（61）が液タンク（31）と連通する前から突起部（57）が可撓壁部（40）を押圧し、可撓壁部（40）が内側に変形し始めると共に液タンク（31）内が次第に昇圧されていく。更に、液タンク（31）を挿入して図６(Ｃ)の状態とすると、可撓壁部（40）の変形量が増大し、液タンク（31）の内圧も上昇する。同時に、ノズル電極（61）が液タンク（31）のノズル貫通予定部（37a）を貫通することで、ノズル電極（61）が液タンク（31）内と連通する。その結果、液タンク（31）内の液体が徐々にノズル電極（61）内に圧送されていく。更に、液タンク（31）を挿入して図６(Ｄ)の状態とすると、可撓壁部（40）の変形量が最大となると共に、液タンク（31）の先端まで液体が満たされた状態となる。同時に、均圧管（62）が均圧管貫通予定部（36a）を貫通することで、均圧管（62）と液タンク（31）内の気相空間が連通する。
【００８３】
静電噴霧装置（10）には、図６(Ｄ)に示す状態とした噴霧カートリッジ（30）が搭載され、所定の噴霧動作が行われる。この際、ノズル電極（61）では、上記実施形態と同様、空気抜きが確実に行われているので、ノズル電極（61）から液体を確実に噴射させることができる。
【００８４】
−変形例２−
図７に示すように、変形例２の噴霧カートリッジ（30）では、上記変形例１と同様にして、液タンク（31）の前面に可撓壁部（40）が形成される一方、上記タンクホルダ（50）の閉塞部（52）の内壁に突起部（57）が形成されている。また、変形例２では、上記変形例１と異なり、突起部（57）の先端が、挿入される液タンク（31）に対してノズル電極（61）の端部よりも遠くに位置している。
【００８５】
この変形例２において、図７(Ａ)の状態から液タンク（31）をタンクホルダ（50）内に挿入して図７(Ｂ)の状態とすると、ノズル電極（61）が液タンク（31）のノズル貫通予定部（37a）を貫通することで、ノズル電極（61）が液タンク（31）内と連通する。この際には、未だ突起部（57）は可撓壁部（40）を押圧していない。更に、液タンク（31）を挿入して図７(Ｃ)の状態とすると、突起部（57）が可撓壁部（40）を押圧して内側に変形させる。つまり、変形例２では、ノズル電極（61）と液タンク（31）とが連通した後に、突起部（57）が液タンク（31）の容量を縮小させる。その結果、液タンク（31）内の液体が徐々にノズル電極（61）内に圧送されていく。更に、液タンク（31）を挿入して図７(Ｄ)の状態とすると、可撓壁部（40）の変形量が最大となると共に、液タンク（31）の先端まで液体が満たされた状態となる。同時に、均圧管（62）が均圧管貫通予定部（36a）を貫通することで、均圧管（62）と液タンク（31）内の気相空間が連通する。
【００８６】
静電噴霧装置（10）には、図７(Ｄ)に示す状態とした噴霧カートリッジ（30）が装着され、所定の噴霧動作が行われる。この際、この変形例２においても、ノズル電極（61）では空気抜きが確実に行われているので、ノズル電極（61）から液体を確実に噴射させることができる。
【００８７】
《その他の実施形態》
上記各実施形態については、以下のような構成としてもよい。
【００８８】
上記各実施形態では、噴霧手段として一対の電極（19,61）を用いた静電噴霧装置（10）に、本発明に係る噴霧カートリッジ（30）を搭載するようにしている。しかしながら、例えばポンプや圧縮流体を利用した噴霧手段を有する他の噴霧装置に、本発明に係る噴霧カートリッジ（30）を適用するようにしても良い。また、容器（31）とノズル電極（61）とがユニット化された噴霧カートリッジ（30）以外に本発明の空気抜き対策を適用するようにしても良く、例えば噴霧装置本体にノズル（61）が搭載される一方、このノズル（61）に取付自在な容器（31）を有する噴霧装置について、本発明の空気抜き対策を適用するようにしても良い。
【００８９】
また、上記各実施形態の噴霧カートリッジ（30）において、タンクホルダ（50）内に液タンク（31）を挿入する動作は、手動によるものであっても良いし、機械的に自動で行うものであっても良い。
【００９０】
更に、上記各実施形態では、容積変更手段としての突起部（57,57）をタンクホルダ（50）側に形成している。しかしながら、例えば液タンク（31）に突起部（57）を形成し、タンクフォルダ（50）側に）突起部（57）を押し当てることで、液タンク（31）の容積を縮小させるようにしても良い。
【００９１】
なお、以上の実施形態は、本質的に好ましい例示であって、本発明、その適用物、あるいはその用途の範囲を制限することを意図するものではない。
【産業上の利用可能性】
【００９２】
以上説明したように、本発明は、ノズルに容器が取り付けられて、容器内の液体がノズルから噴射される噴霧装置、及びこれらのノズルと容器とを備えた噴霧カートリッジについて有用である。
【図面の簡単な説明】
【００９３】
【図１】図１は、実施形態に係る静電噴霧装置を前方から視た斜視図である。
【図２】図２は、実施形態に係る静電噴霧装置を後方から視ると同時に、噴霧装置本体に噴霧カートリッジを装着する動作を表した斜視図である。
【図３】図３は、実施形態に係る静電噴霧装置を後方から視ると同時に、噴霧装置本体に噴霧カートリッジが装着された状態を表した斜視図である。
【図４】図４は、実施形態に係る噴霧カートリッジについて、タンクホルダと液タンクとを分解した斜視図である。
【図５】図５(Ａ)〜(Ｄ)は、実施形態に係る噴霧カートリッジの取付動作を説明するための概略構成図である。
【図６】図６(Ａ)〜(Ｄ)は、変形例１に係る噴霧カートリッジの取付動作を説明する概略構成図である。
【図７】図７(Ａ)〜(Ｄ)は、変形例２に係る噴霧カートリッジの取付動作を説明する概略構成図である。
【符号の説明】
【００９４】
19    リング電極（噴霧手段）
31    液タンク（容器）
38    前側係合溝（係合溝）
39    後側係合溝（係合溝）
40    可撓壁部
50    タンクホルダ（保持部材）
57    突起部（容積変更手段）
61    ノズル電極（ノズル、噴霧手段）
62    均圧管
【図１】
2008132455.tif 000003
【図２】
2008132455.tif 000004
【図３】
2008132455.tif 000005
【図４】
2008132455.tif 000006
【図５】
2008132455.tif 000007
【図６】
2008132455.tif 000008
【図７】
2008132455.tif 000009